(57)【要約】  【課題】日当たり、風通しを良くするための果樹低木栽培用整枝柵を提供し、また太陽光反射幕を取付けるための梁、防鳥・防虫網及び／又は防雨用被覆材を取付けるための支柱を備えた果樹低木栽培用装置を提供する。  【解決手段】２分割可能な円筒１に、横方向に伸びた後、上方に曲がって伸びる整枝用支柱５を放射状に固着し、該整枝用支柱に輪（リング）状の整枝棚６を多段に取り付けた果樹低木栽培用整枝柵である。また円筒１に、太陽光反射幕を取付けるための梁７、下端に滑車を取り付けた垂直な支柱８、横方向の補強材９を一体化して取り付けた果樹低木栽培用整枝柵である。更に、各支柱８に支柱１３を接続具１４で接続し、各支柱１３で整枝柵を覆うように構成し、この支柱に防鳥・防虫網及び／又は防雨用被覆材を取付けるようにした果樹低木栽培用装置である。  【選択図】図３
2008022796.tif 000002
【特許請求の範囲】
【請求項１】
縦方向に分割可能な円筒の側面周囲に、横方向に伸びた後、上方に曲がって伸びる整枝用支柱を放射状に固着し、該整枝用支柱に輪（リング）状の整枝棚を多段に取り付けたことを特徴とする果樹低木栽培用整枝柵。
【請求項２】
輪（リング）状の整枝棚を、上下に移動可能に取り付けた請求項１記載の果樹低木栽培用整枝柵。
【請求項３】
請求項１又は２記載の果樹低木栽培用整枝柵において、円筒に、太陽光反射幕を取付けるための梁を放射状に且つ外側が高くなるように取り付けたことを特徴とする果樹低木栽培用整枝柵。
【請求項４】
梁を垂直な支柱で支え、その各支柱の下端部に滑車を設け、支柱を移動可能にして支柱間の間隔を開閉するようにした請求項３記載の果樹低木栽培用整枝柵。
【請求項５】
請求項４記載の果樹低木栽培用整枝柵の梁を支える各支柱を、整枝柵を覆うようにした、防鳥・防虫網及び／又は防雨用被覆材を取付けるための支柱で構成したことを特徴とする果樹低木栽培用装置。
【発明の詳細な説明】
【技術分野】
【０００１】
本発明は、マンゴ、パパイヤ、ブルーベリー、さくらんぼ、桃、梨、りんごなどの果樹を低木栽培するときに用いる果樹低木栽培用整枝柵及び果樹低木栽培用装置に関する。
【背景技術】
【０００２】
近年、剪定、摘果、消毒、収穫などを能率的に行えるように、また高齢化した果樹園芸農家や軽度の障害者の自立などの観点から、台や梯子に昇って高所作業しなくて済ませるように、果樹の高さを人間の手が届く程度に低く栽培する、いわゆる低木栽培が盛んに行われている。果樹の低木栽培では、低木にするため、どうしても枝葉が重なり合うことが多い。このことは、太陽光が樹木全体にわたって取り入れられず，風の通りも悪くなり、果樹の生育、果実の収穫にも悪い影響を及ぼす。
【０００３】
この問題を解決するため、従来から、種々の工夫がなされ、提案されている。例えば、果樹の周囲に井桁状に四角に組んだ棚を設け、四方八方に伸びる枝葉をこの棚に合わせてくくり付け、くくり付けに合わない枝は剪定して切り落とすことが広く行われている。また、所定の列間隔及び所定の間隔で列状に植えた果樹（オウトウ）の結果枝を、栽培列の左右方向に所定巾で水平に配設された少なくとも２本の線状材のうちの両側端部の２本の線状材間に形成され、かつ栽培列の上下方向に少なくとも２段にわたって平行に設けた基面上に固定し、該結果枝に果実を着果させるようにした栽培法及び培用棚（特許文献１）が提案されている。
【０００４】
また、所定の列間隔及び所定の間隔で列状に植えた果樹の各栽培列中に、所定の間隔を置いて複数の支柱を立設し、各支柱に、その両傾斜部にそれぞれ所定間隔を置いて複数の孔が穿設された逆台形型のフレームをそれぞれ固定し、各フレームにおけるそれぞれ同じ高さの位置に穿設された各孔の間に線状材を挿通せしめて各フレームを連結してなり、各果樹の結果母枝を各フレームの最も低い位置にある各孔の間に挿通された線状材によって固定し、上記結果母枝からそれぞれ生じる新梢を、各フレームの最も低い位置以外に穿設された各孔の間にそれぞれ挿通された線状材によって、栽培列の左右両側に傾斜させて固定する果樹栽培用棚（特許文献２）が提案されている。
【特許文献１】特開平７−５９４７７号公報
【特許文献２】特開平９−９７９９号公報
【発明の開示】
【発明が解決しようとする課題】
【０００５】
本発明は、果樹の低木栽培において、高齢者や軽度の障害者が容易に栽培作業でき、果樹全体に日当たり、風通しを良くするための整枝柵を提供し、また果樹に下側からの太陽反射光が枝葉全体に当るようにした整枝柵を提供し、更に、農薬散布の回数を減少させて残留農薬を低減し、害虫及び鳥から樹木、果実を守り、また雨に対し防御できる果樹低木栽培用装置を提供することを目的とする。
【課題を解決するための手段】
【０００６】
本発明は、縦方向に分割可能な円筒の側面周囲に、横方向に伸びた後、上方に曲がって伸びる整枝用支柱を放射状に固着し、該整枝用支柱に輪（リング）状の整枝棚を多段に取り付けたことを特徴とする果樹低木栽培用整枝柵である。上記の輪（リング）状の整枝棚は、上下に移動可能に取り付けるのが好ましい。また本発明は、前記の果樹低木栽培用整枝柵において、円筒に、太陽光反射幕を取付けるための梁を放射状に且つ外側が高くなるように取り付けたことを特徴とする果樹低木栽培用整枝柵である。
【０００７】
また、本発明は、前記の梁を垂直な支柱で支え、その各支柱の下端部に滑車を設け、支柱を移動可能にして支柱間の間隔を開閉するようにした果樹低木栽培用整枝柵である。更に、本発明は上記の果樹低木栽培用整枝柵の梁を支える各支柱を、整枝柵を覆うようにした、防鳥・防虫網及び／又は防雨用被覆材を取付けるための支柱で構成したことを特徴とする果樹低木栽培用装置である。
【発明の効果】
【０００８】
本発明の整枝柵は、果樹の一本毎或は１集合株毎に設けられるので、高齢者や軽度の障害者が仕事し易い。また、整枝柵は円形の棚を多段に備えたので、高さを異にし且つ四方八方に伸びる果樹の枝を、枝葉が重ならなず、太陽光が良く入り、風通し良くなるように、容易に整えることができ、低木栽培が容易になる。更に、この円形の棚を上下に移動可能にすることにより、整枝がよりし易くなる。また、整枝柵の円筒から放射状に且つ外側が高くなるように梁を設け、この梁に太陽光反射幕を取付けることにより、太陽反射光を下側から果樹に当てることができるので、樹木や果実の生育を助け、また果実の成熟時の色付きを良くすることができる。更には、完熟した或は未完熟の果実が落下した場合落下による傷付きを防ぐことができる。また、上記の梁を支え垂直の支柱を設け、その各支柱の下端に滑車を設けることにより、各支柱が移動しやすくなり、目的とする果樹の作業箇所の支柱間の間隔を広げて、作業することができる。
【０００９】
また、本発明では、上記の果樹低木栽培用整枝柵の梁を支える垂直な各支柱を整枝柵を覆うような長い支柱にし、その支柱に防鳥・防虫網を取付けることによって、果実が鳥に食べられる被害を防ぐことができ、また害虫の侵入を防げるので農薬散布の回数を減少させて残留農薬を低減できる。また、この支柱に防雨用被覆材を取り付けることによって、果実を風雨による害から守ることができる。
【発明を実施するための最良の形態】
【００１０】
本発明の一例を示す図を用いて、本発明を更に詳しく説明する。図１は、本発明における整枝柵の一例を示す斜視図である。１は円筒で、縦方向に分割可能に構成されている。この分割は２〜４分割できるようにするのが好ましい。この例では、縦方向に２分割しており、その片側の分割部には蝶番２が設けられ、他側の分割部はピン３を差し込む方式で連結されている。両側ともピン３を差し込む方式で連結させてもよい。円筒１を地面に安定に、確実に固定するため、円筒１の下端周囲に適当な数の出っ張り部４を設けたり、更にこの出っ張り部に杭を打つための孔（図示しない）を開けたりしてもよい。５は、円筒の側面周囲に、放射状に固着した整枝用支柱である。この整枝用支柱５は円筒１の固着部から横方向に伸びた後、上方に曲がって伸びている。その高さは、低木栽培においては人の手が届く範囲にするのが好ましい。６は円形の整枝棚である。この整枝棚６は、輪（リング）を、整枝用支柱５に取り付けて構成する。この取り付けには、クランプなどを用いて行ってもよいし、ワイヤーを用いて結束で行ってもよい。
【００１１】
上記の整枝柵の使用方法を説明する。先ず、整枝柵の円筒１のピン３を抜き、蝶番２を利用して円筒１を開き、この円筒１の中に果樹の根元を入れて、円筒１を閉じる。すなわち、果樹の根元の周りに円筒１を設置する。この操作によって、果樹は整枝柵によって囲まれる。円筒１を地面に確実に固定するため、その下端周囲に設けた出っ張り部４の孔に杭を通して打ち込むのが好ましい。次いで、果樹の枝を、整枝柵の整枝棚６、整枝用支柱５を利用して整枝する。すなわち、例えば、枝を、整枝棚６や整枝用支柱５に、紐で括り付けて整枝する。整枝するとき、果樹の枝の状態に応じて、整枝棚６の輪（リング）を上下に移動できるように取り付けると便利である。この整枝棚６の段数は、果樹の種類によって適宜であるが、通常２〜５段である。
【００１２】
上記の整枝柵に、太陽光反射幕を取付けるための梁を設けてもよい。梁は、円筒１に、放射状に固定される。この梁は外側を高くして、太陽光反射幕から反射した太陽光が効率よく、果樹の枝葉や果実に当たるようにする。また、この梁を強固にするために、地面に接する垂直な支柱を設け、梁の他端をこの支柱に固定するのが好ましい。また、更に強固にするため横方向の補強材を設け、梁と支柱と補強材とを一体化してもよい。
【００１３】
梁を垂直な支柱で補強した場合、この支柱の下端に滑車（キャスター）を設けるのが好ましい。この滑車を設けることにより、目的とする作業場所の支柱を移動させ易くなり、支柱の間を広げて、果樹への作業をし易くすることができる。滑車にはストッパーを付けるのが好ましい。図２は、この滑車を設けた場合の一例を示した斜視図である。この例において、１は円筒、５は整枝用支柱、６は整枝棚である。７は太陽光反射幕を取り付けるための梁、８は垂直な支柱、９は横方向の補強材である。これら梁７と垂直な支柱８と横方向の補強材９とは一体になっている。１０は垂直な支柱８の下端に取り付けた滑車（キャスター）である。１１は、円筒１の外周側面に設けた溝である。この溝１１に、補強材９の先端を、溝１１に沿って移動可能に嵌合している。そのため、各支柱８は円筒１を中心にしてその周囲を移動することができる。補強材９の先端に滑車１２を付け、溝１１に案内線路（レール）を設けると、より円滑に移動できる。
【００１４】
図２に示す例において、梁７を支える垂直な支柱８として、長い支柱を用い、そして、この長い支柱で整枝柵を覆うようにし、その支柱に防鳥・防虫網及び／又は防雨用被覆材を取付けるようにしてもよい。また、上記のように長い支柱を用いる代わりに、図２に示す梁７を支える垂直な支柱８の先端に、長い支柱を接合し、この接合した支柱で整枝柵を覆うようにし、その支柱に防鳥・防虫網及び／又は防雨用被覆材を取付けるようにしてもよい。かくして、果樹低木栽培に適する整枝柵と、その下部周囲に設けた太陽光反射幕を張る梁と、整枝柵を覆うように設けた、防鳥・防虫網及び／又は防雨用被覆材を取付ける支柱とが一体になった果樹低木栽培用装置が得られる。防雨用被覆材は透光性の良いものが好ましく用いられる。
【００１５】
図３は、図２に示す梁を支える垂直な各支柱８に、長い支柱を接合して構成した本発明の果樹低木栽培用装置の一例を示す斜視図である。符号１〜１２は、前述したと同じである。１３は、垂直な支柱８に、接続具１４を用いて接続した長い支柱である。この長い支柱は、それぞれ、上方で中央に集まり、そして、それぞれの支柱の先端は、円筒１５の下面に設けた溝（図示しない）に、溝に沿って移動可能に嵌合している。各支柱１３の上先端に滑車を取り付け、溝内に案内線路（レール）を設けておくと、各支柱１３の移動がより円滑に行える。１６は長い支柱１３の相互を連結して補強するためのワイヤー或はロープである。
【００１６】
この長い支柱に、防鳥・防虫網及び／又は防雨用被覆材を取付けることによって、果実が鳥に食べられる被害を防ぐことができ、また害虫の侵入を防げるので農薬散布の回数を減少させて残留農薬を低減できる。また、この支柱に防雨用被覆材を取り付けることによって、果実を風雨による害から守ることができる。
【００１７】
本発明において、前記した円筒、各種の支柱、輪（リング）、補強材などは、金属や合成樹脂で作られる。
【図面の簡単な説明】
【００１８】
【図１】本発明の整枝柵の一例の斜視図
【図２】図１の整枝柵に、太陽光反射幕取り付け用梁を設けた斜視図
【図３】本発明の果樹低木栽培用装置の一例の斜視図
【符号の説明】
【００１９】
１ 円筒、２ 蝶番、３ ピン、４ 出っ張り、５ 整枝用支柱、６ 整枝棚、７ 梁、８ 支柱、９ 補強材、１０ 滑車、１１ 溝、１２ 滑車、１３ 支柱、１４ 接続具、１５ 円筒、１６ ワイヤー
【図１】
2008022796.tif 000003
【図２】
2008022796.tif 000004
【図３】
2008022796.tif 000005